(57)【要約】【課題】放送波に新たな情報を追加したり、全ての地域のチャンネル情報を保持する必要がなく、かつ、異なるエリアのチャンネル情報が混在した形で装置内に設定されることのないデジタル放送受信装置及び方法を提供する。【解決手段】受信部１０１がデジタル放送を受信すると、データ処理部１０３は、受信制御部１０２の制御により、デジタル放送の全てのチャンネルを順次選局して、放送波の有無を調査するチャンネルスキャンを行う。記憶部１０４は、受信制御部１０２によってスキャンされたチャンネルで共通するエリアコードを記憶する。受信制御部１０２が、共通するエリアコードを含まないチャンネルをスキャンした場合、再度チャンネルスキャンを行う。【選択図】図１
2007180722.tif 000002
【特許請求の範囲】
【請求項１】
デジタル放送を受信する受信手段と、
前記デジタル放送の全てのチャンネルを順次選局して、放送波の有無を調査するチャンネルスキャンを行うチャンネルスキャン手段と、
該チャンネルスキャン手段によってスキャンされたチャンネルで共通するエリアコードを記憶する記憶手段とを具え、
前記チャンネルスキャン手段が、前記共通するエリアコードを含まないチャンネルをスキャンした場合、前記チャンネルスキャン手段が再度チャンネルスキャンを行うことを特徴とするデジタル放送受信装置。
【請求項２】
前記チャンネルスキャン手段が、前記デジタル放送の全てのチャンネルをスキャンした後に再度チャンネルスキャンを行う場合、前記共通するエリアコードを有するチャンネルを最初にスキャンし、既にスキャンしているチャンネルのエリアコードが前記共通するエリアコードを含む場合、チャンネルスキャンをスキップすることを特徴とする請求項１記載のデジタル放送受信装置。
【請求項３】
前記チャンネルスキャン手段によってスキャンしたチャンネルのエリアコードが前記共通するエリアコードを含まない場合、前記チャンネルスキャン手段が、前記デジタル放送の全てのチャンネルを順次選局することを特徴とする請求項１又は２記載のデジタル放送受信装置。
【請求項４】
デジタル放送を受信する受信ステップと、
前記デジタル放送の全てのチャンネルを順次選局して、放送波の有無を調査するチャンネルスキャンを行うチャンネルスキャンステップと、
スキャンされたチャンネルで共通するエリアコードを記憶する記憶ステップと、
前記共通するエリアコードを含まないチャンネルをスキャンした場合、再度チャンネルスキャンを行うステップとを含むことを特徴とするデジタル放送受信方法。
【請求項５】
前記デジタル放送の全てのチャンネルをスキャンした後に再度チャンネルスキャンを行う場合、前記共通するエリアコードを有するチャンネルを最初にスキャンし、スキャンしたチャンネルのエリアコードが前記共通するエリアコードを含む場合、チャンネルスキャンをスキップするステップを含むことを特徴とする請求項４記載のデジタル放送受信方法。
【請求項６】
スキャンしたチャンネルのエリアコードが前記共通するエリアコードを含まない場合、前記デジタル放送の全てのチャンネルを順次選局するステップを含むことを特徴とする請求項４又は５記載のデジタル放送受信方法。
【発明の詳細な説明】
【技術分野】
【０００１】
本発明は、携帯電話のような移動型の装置に適したデジタル放送受信装置及び方法に関する。
【背景技術】
【０００２】
携帯用地上デジタル放送受信端末は、移動によりチャンネルとそのチャンネルで放送されているネットワークとのマッピングが変わる。よって、何らかのタイミングでチャンネルスキャンを実行し、現在の地域におけるチャンネルと放送局のマッピング情報を取得し記憶しておかなければならないが、図８に示すように、スキャンしたチャンネルの放送エリアを考慮せずに受信可能な全てのチャンネルを記憶するので、全チャンネルのスキャンには時間がかかる。従来、その処理時間を短縮するために隣接するエリアのチャンネルを優先的にスキャンする方法（例えば、特許文献１参照）や、ＧＰＳを用いて位置情報を取得しチャンネル設定を切り替える方法（例えば、特許文献２参照）などは提案されている
【特許文献１】特開２００２−３５９８２５号公報
【特許文献２】特開２００３−３０９７７４号公報
【発明の開示】
【発明が解決しようとする課題】
【０００３】
しかしながら、従来提案されている方法では、放送波に新たな情報を追加したり、全ての地域のチャンネル情報を保持する必要があり、また、放送エリア間を移動中にすべてのチャンネルのスキャンを行うと、異なるエリアのチャンネル情報が混在した形で装置内に設定されてしまう可能性がある。
【０００４】
本発明の目的は、放送波に新たな情報を追加したり、全ての地域のチャンネル情報を保持する必要がなく、かつ、異なるエリアのチャンネル情報が混在した形で装置内に設定されることのないデジタル放送受信装置及び方法を提供することである。
【課題を解決するための手段】
【０００５】
本発明によるデジタル放送受信装置は、
デジタル放送を受信する受信手段と、
前記デジタル放送の全てのチャンネルを順次選局して、放送波の有無を調査するチャンネルスキャンを行うチャンネルスキャン手段と、
該チャンネルスキャン手段によってスキャンされたチャンネルで共通するエリアコードを記憶する記憶手段とを具え、
前記チャンネルスキャン手段が、前記共通するエリアコードを含まないチャンネルをスキャンした場合、前記チャンネルスキャン手段が再度チャンネルスキャンを行うことを特徴とする。
【０００６】
本発明によるデジタル放送受信方法は、
デジタル放送を受信する受信ステップと、
前記デジタル放送の全てのチャンネルを順次選局して、放送波の有無を調査するチャンネルスキャンを行うチャンネルスキャンステップと、
スキャンされたチャンネルで共通するエリアコードを記憶する記憶ステップと、
前記共通するエリアコードを含まないチャンネルをスキャンした場合、再度チャンネルスキャンを行うステップとを含むことを特徴とする。
【発明の効果】
【０００７】
本発明によれば、受信したエリアコードの変化を検出して再度チャンネルスキャンを行うことによって、放送波に新たな情報を追加したり、全ての地域のチャンネル情報を保持する必要がなく、かつ、異なるエリアのチャンネル情報が混在した形で装置内に設定されることがなくなる。その結果、本発明は、移動によりチャンネルとそのチャンネルで放送されているネットワークとのマッピングが変わる携帯電話のような移動型の装置に特に適したものとなる。
【発明を実施するための最良の形態】
【０００８】
本発明の実施態様を、図面を参照して詳細に説明する。
図１は、本発明によるデジタル放送受信装置を示す。デジタル放送受信装置としての携帯電話として実現される携帯用地上デジタル受信端末１００は、受信部１０１と、受信制御部１０２と、データ処理部１０３と、記憶部１０４とを具える。
【０００９】
受信部１０１はデジタル放送を受信する。受信制御部１０２はチャンネルスキャン、チャンネル設定などの受信部１０１の制御や、当該チャンネルが受信可能かどうかの判断や、受信したデータをデータ処理部１０３へ受け渡す処理を行う。データ処理部１０３は受け取ったＭＰＥＧ−２トランスポートストリームを解釈し、その中からＮＩＴ (Network Information Table)を取り出し、その中の地上分配システム記述子に記述されるエリアコードを読み、そのネットワークが受信可能なエリアを取得する。またデータ処理部１０３は現在のチャンネルでのエリアコードと記憶部１０４に保存されたエリアコードとの比較を行い、比較結果に従って受信制御部１０２に対し、スキャン処理の停止や、次にスキャンするチャンネルの指示を行う。
【００１０】
本発明の処理の流れを、図２、図３を用いて説明する。
初回のスキャン処理の流れを図２に示す。先ず、スキャンすべきチャンネルＸが記憶部１０４に保存されているか否かをチェックし（ステップ１１１）、チャンネルＸが保存されていなければ、共通受信エリアコードを全エリアとし（ステップ１１２）、全チャンネルスキャンを実行する（ステップ１１３）。チャンネルＸが保存されていれば、チャンネルＸをスキャンする（オートスキャン）よう受信制御部１０２に指示を出す（ステップ１１４）。次に、受信可能か否かをチェックし（ステップ１１５）、受信不可能であればステップ１１２に進み、受信可能であれば、チャンネルＸにおけるＮＩＴを受信し、エリアコード情報から当該チャンネルが受信可能なエリアＣを求める（ステップ１１６）。次に、エリアＣが、記憶部１０４に保存された共通受信エリアコードと一致するか否かをチェックし（ステップ１１７）、一致しなければエリアＣを共通受信エリアコードとし（ステップ１１８）、全チャンネルスキャンを実行し(ステップ１１９)、一致する場合には全チャンネルスキャンは行わず、チャンネル設定は更新されない。
【００１１】
したがって、ステップ１１５〜１１７において、前回のチャンネルスキャン時に共通受信エリアコードと最初にスキャンすべきチャンネルＸを記憶し、オートスキャン時にチャンネルＸが受信可能であり、かつチャンネルＸの受信エリアコードと共通受信エリアコードが一致している場合には、以降のチャンネルスキャンを行わないので、スキャン時間を短縮することができる。
【００１２】
全チャンネルスキャン処理の流れを図３に示す。ステップ１１３又は１１９のサブルーチンである図３の全チャンネルスキャン処理では、先ず、スキャンすべき全チャンネルのうち、最初のスキャン処理でスキャンしたチャンネルを除くチャンネルについてスキャンし（ステップ１２１，１２２）、受信可能か否かをチェックする（ステップ１２３）。受信不可能であれば次のチャンネルをスキャンし（ステップ１２４）、受信可能であれば、受信可能なエリアＣをエリアコードから求め（ステップ１２５）、エリアＣと共通受信エリアコードとの間に共通するエリアＤがあるか否かチェックする（ステップ１２６）。エリアＤがあれば共通受信エリアコードをエリアＤとし、次のチャンネルをスキャンする（ステップ１２７〜１２９，１２４）。エリアＤがなければ、このときのエリアＣをエリアＥとして記憶し（ステップ１３０）、チャンネルＸをスキャンする（ステップ１３１）。次いで、チャンネルＸの受信エリアコードにエリアＥが含まれないか否かチェックし（ステップ１３２）、エリアＥが含まれないならば、ステップ１２４に進む。チャンネルＸの受信エリアコードにエリアEが含まれるならば、再スキャン処理を行う（ステップ１３３）。
【００１３】
したがって、ステップ１２６，１３０〜１３３において、受信したエリアコードの変化を検出して再度チャンネルスキャンを行うことによって、放送波に新たな情報を追加したり、全ての地域のチャンネル情報を保持する必要がなく、かつ、異なるエリアのチャンネル情報が混在した形で装置内に設定されることがなくなる。
【００１４】
再スキャン時の処理の流れを図４に示す。ステップ１１３のサブルーチンである図４の再スキャン時の処理では、スキャン対象チャンネルであるＹが前回のチャンネルスキャン時にスキャン済みであり、かつ、エリアＥがチャンネルＹの受信エリアコードに含まれるか否かチェックする（ステップ１４１，１４２）。スキャン対象チャンネルであるＹが前回のチャンネルスキャン時にスキャン済みであり、かつ、エリアＥがチャンネルＹの受信エリアコードに含まれる場合、次のチャンネルＹのチェックを行う（ステップ１４３）。そうでなければ、チャンネルＹをスキャンし（ステップ１４４）、その受信エリアコードに関する記憶内容を更新する（ステップ１４５）。
【００１５】
したがって、ステップ１４２において、スキャン対象チャンネルであるＹが前回のチャンネルスキャン時にスキャン済みであり、かつ、エリアＥがチャンネルＹの受信エリアコードに含まれる場合、チャンネルＹのスキャン及びその受信エリアコードに関する記憶内容の更新をスキップして、次のチャンネルＹのチェックを行うので、スキャン時間を短縮することができる。
【００１６】
図２に示した初回スキャン処理の例を図５に示す。この例では、１３，１５，１６，１９チャンネルが受信可能なチャンネルとし、前回のチャンネルスキャン時に初回スキャンチャンネルＸは１６チャンネルであったとする。先ず、１６チャンネルをスキャンし、受信エリアコードがｃとわかる。前回のスキャン時に求めた共通受信エリアコードがｃであったならば、チャンネル情報は変化していないとみなし、スキャンを終了する。共通受信エリアコードがｂであったならば、１６チャンネルの受信エリアコードと一致しないため、全チャンネルスキャンを行う。
【００１７】
図３に示した全チャンネルスキャン処理の例を図６に示す。この例では、図５におけるケース２の後の前スキャン処理を仮定して、初期の共通受信エリアコードは全エリアとする。まず１３チャンネルをスキャンし、受信エリアコード（ａ，ｂ，ｃ，ｄ）を取得する。この受信エリアコードは全エリアより小さいため、共通受信エリアコードを（ａ，ｂ，ｃ，ｄ）にし、初回スキャンチャンネルＸも１３に更新する。次の１５チャンネルでは，受信エリアコードはこのときの共通受信エリアコードと等しいので更新は行わない。次の１６チャンネルでは、受信エリアコードが共通受信エリアコードより範囲が狭いので、共通受信エリアコードを（ａ，ｂ，ｃ，ｄ）と（ｃ）の共通部分であるｃに更新し、初回スキャンチャンネルも１６にする。次の１９チャンネルでは、受信エリアコードはこのときの共通受信エリアコードより範囲が広いので、更新は行わない。次の２０チャンネルの受信エリアコードがｂのとき、共通受信エリアコードとの間に共通するエリアがないので、エリアＥ＝ｂとなり、このときのチャンネルＸである１６チャンネルをスキャンする。その結果、受信エリアコードがｃであればエリアＥが含まれないので、そのまま全チャンネルスキャン処理を続ける。受信エリアコードがｂであれば、エリアＥが含まれるので、再スキャンを行う。
【００１８】
図４に示した再スキャン処理の例を図７に示す。この例では、図６のケース２のときを想定し、１３，１５，１６チャンネルはスキャン済みとする。先ず、記憶された１３チャンネルの受信エリアコードを参照し、エリアＥであるｂが含まれているので、スキャンは行わない。同様に、１５チャンネルもスキャンしない。１４チャンネルは前回受信不可能だったため、１６チャンネルは、受信エリアコードがｃでｂを含んでいないためにスキャンを行う。
【００１９】
本発明は上記実施の形態に限定されるものではなく、当業者であれば本開示に基づき種々の変形や修正を行うことが容易であることに注意されたい。したがって、これらの変形や修正は本発明の範囲に含まれることに留意されたい。
例えば、上記実施の形態において、本発明を携帯電話で実現する場合について説明したが、放送受信機を有する携帯端末であれば、携帯電話以外でも本発明を適用することができる。
また、ＭＰＥＧ−２トランスストリームを解釈する場合について説明したが、他の方式のトランスストリームを解釈する場合でも、本発明を適用することができる。
【図面の簡単な説明】
【００２０】
【図１】本発明によるデジタル放送受信装置の構成を示す。
【図２】本発明による初回のスキャン処理の流れを示す。
【図３】本発明による全チャンネルスキャン処理の流れを示す。
【図４】本発明による再スキャン時の処理の流れを示す。
【図５】図２に示した初回スキャン処理の例を示す。
【図６】図３に示した全チャンネルスキャン処理の例を示す。
【図７】図４に示した再スキャン処理の例を示す。
【図８】従来の全チャンネルスキャン処理の流れを示す。
【符号の説明】
【００２１】
１００  携帯用地上デジタル受信端末
１０１  受信部
１０２  受信制御部
１０３  データ処理部
１０４  記憶部
【図１】
2007180722.tif 000003
【図２】
2007180722.tif 000004
【図３】
2007180722.tif 000005
【図４】
2007180722.tif 000006
【図５】
2007180722.tif 000007
【図６】
2007180722.tif 000008
【図７】
2007180722.tif 000009
【図８】
2007180722.tif 000010